(57)【要約】【課題】  マイクロコンピュータ２の制御ポート数及び該コンピュータ２からの制御ライン数を減少させることが出来るラジオ放送受信回路１を提供する。【解決手段】  本発明のラジオ放送受信回路１において、ＡＭ／ＦＭデコード部15は、入力端子151から入力される制御信号に応じてＡＭ信号処理動作とＦＭ信号処理動作の間で動作を切り換える。ＲＤＳデコードＩＣ17は、入力端子171から入力される制御信号に応じて付加信号に対する信号処理動作を実行する動作実行モードと該動作を停止する動作停止モードの間でモードを切り換える。ＰＬＬ／拡張部16の出力端子161とＡＭ／ＦＭデコード部15の入力端子151とが制御信号線181によって互いに接続されており、該制御信号線181に、ＲＤＳデコードＩＣ17の入力端子171が接続されている。【選択図】      図１
2006246000.tif 000002
【特許請求の範囲】
【請求項１】
ＡＭ放送と、音声信号に付加信号を多重してなるＦＭ多重信号が伝送されるＦＭ多重放送とを受信することが可能なラジオ放送受信回路において、
ＡＭ放送を受信するＡＭ放送受信回路と、
ＦＭ多重放送を受信するＦＭ多重放送受信回路と、
制御入力端子を具え、該制御入力端子から入力される制御信号に応じて、ＡＭ放送の受信信号に対し信号処理を施して音声信号を出力するＡＭ信号処理動作と、ＦＭ多重放送の受信信号に対し信号処理を施して音声信号及び付加信号を出力するＦＭ信号処理動作との間で動作を切り換えるＡＭ／ＦＭ信号処理回路と、
制御入力端子を具え、該制御入力端子から入力される制御信号に応じて、前記ＡＭ／ＦＭ信号処理回路から得られる付加信号に対する信号処理動作を実行する動作実行モードと該信号処理動作を停止する動作停止モードとの間でモードを切り換える付加信号処理回路と、
制御回路に接続され、該制御回路からの指令に応じて制御信号を出力する信号出力回路
とを具え、該信号出力回路は、前記ＡＭ／ＦＭ信号処理回路及び前記付加信号処理回路へ制御信号を出力すべき制御出力端子を具え、該制御出力端子と前記ＡＭ／ＦＭ信号処理回路の制御入力端子とが制御信号線によって互いに接続されており、該制御信号線に、前記付加信号処理回路の制御入力端子が接続されていることを特徴とするラジオ放送受信回路。
【請求項２】
前記制御信号は２値信号から構成され、前記ＡＭ／ＦＭ信号処理回路は、入力された制御信号が第１の値をとる場合に動作をＡＭ信号処理動作に切り換える一方、入力された制御信号が第２の値をとる場合には動作をＦＭ信号処理動作に切り換え、前記付加信号処理回路は、入力された制御信号が前記第１の値をとる場合にモードを動作停止モードに切り換える一方、入力された制御信号が前記第２の値をとる場合にはモードを動作実行モードに切り換える請求項１に記載のラジオ放送受信回路。
【請求項３】
前記ＡＭ／ＦＭ信号処理回路は、第２の制御入力端子を具え、該制御入力端子から入力される第２の制御信号に応じて、出力音声を無音状態に設定し、或いは該設定を解除するものであり、前記付加信号処理回路は、第２の制御入力端子を具え、該制御入力端子から入力される第２の制御信号に応じて付加信号に対する信号処理を開始するものであり、前記信号出力回路は、前記ＡＭ／ＦＭ信号処理回路及び前記付加信号処理回路へ第２の制御信号を出力すべき第２の制御出力端子を具え、該第２の制御出力端子と前記ＡＭ／ＦＭ信号処理回路の第２の制御入力端子とが制御信号線によって互いに接続されており、該制御信号線に、前記付加信号処理回路の第２の制御入力端子が接続されている請求項１又は請求項２に記載のラジオ放送受信回路。
【請求項４】
前記第２の制御信号は２値信号から構成され、前記ＡＭ／ＦＭ信号処理回路は、入力された第２の制御信号が第１の値をとる場合に出力音声を無音状態に設定する一方、入力された第２の制御信号が第２の値をとる場合には無音状態の設定を解除し、前記付加信号処理回路は、入力された第２の制御信号が前記第１の値或いは前記第２の値の何れかの値をとる場合に付加信号に対する信号処理を開始する請求項３に記載のラジオ放送受信回路。
【請求項５】
ＡＭ放送と、音声信号に付加信号を多重してなるＦＭ多重信号が伝送されるＦＭ多重放送とを受信することが可能なラジオ放送受信回路において、
ＡＭ放送を受信するＡＭ放送受信回路と、
ＦＭ多重放送を受信するＦＭ多重放送受信回路と、
ＡＭ放送の受信信号に対し信号処理を施して音声信号を出力するＡＭ信号処理動作と、ＦＭ多重放送の受信信号に対し信号処理を施して音声信号及び付加信号を出力するＦＭ信号処理動作とを実行するものであって、制御入力端子を具え、該制御入力端子から入力される制御信号に応じて、出力音声を無音状態に設定し、或いは該設定を解除するＡＭ／ＦＭ信号処理回路と、
前記ＡＭ／ＦＭ信号処理回路から得られる付加信号に対し信号処理を施すものであって、制御入力端子を具え、該制御入力端子から入力される制御信号に応じて該信号処理を開始する付加信号処理回路と、
制御回路に接続され、該制御回路からの指令に応じて制御信号を出力する信号出力回路
とを具え、該信号出力回路は、前記ＡＭ／ＦＭ信号処理回路及び前記付加信号処理回路へ制御信号を出力すべき制御出力端子を具え、該制御出力端子と前記ＡＭ／ＦＭ信号処理回路の制御入力端子とが制御信号線によって互いに接続されており、該制御信号線に、前記付加信号処理回路の制御入力端子が接続されていることを特徴とするラジオ放送受信回路。
【請求項６】
前記制御信号は２値信号から構成され、前記ＡＭ／ＦＭ信号処理回路は、入力された制御信号が第１の値をとる場合に出力音声を無音状態に設定する一方、入力された制御信号が第２の値をとる場合には無音状態の設定を解除し、前記付加信号処理回路は、入力された制御信号が前記第１の値或いは前記第２の値の何れかの値をとる場合に付加信号に対する信号処理を開始する請求項５に記載のラジオ放送受信回路。
【発明の詳細な説明】
【技術分野】
【０００１】
本発明は、ＡＭ放送と、音声信号に付加信号を多重してなるＦＭ多重信号が伝送されるＦＭ多重放送とを受信することが可能なラジオ放送受信回路に関するものである。
【背景技術】
【０００２】
従来、ＦＭ多重放送システムとして、ＦＭ音声信号に対し、該音声信号のベースバンド帯域と異なる帯域に文字データ等の付加信号を多重し、該多重信号にＦＭ変調を施して伝送するＲＤＳ(Radio Data System)が知られている。尚、出願人は、ＲＤＳのＦＭ多重放送を受信することが可能なＲＤＳ受信装置を提案している(特許文献１参照)。
一方で、近年、ラジオ放送受信回路、ＤＶＤ再生回路、ＣＤ再生回路、ＭＤ再生回路等の複数のＡＶ(音響映像)再生回路を具えたＡＶ複合機器が普及している。
図２は、ＲＤＳのＦＭ多重放送の受信が可能なラジオ放送受信回路(５)を具えたＡＶ複合機器の構成を表わしており、該ＡＶ複合機器においては、制御用ボードに、該機器を構成する複数のＡＶ再生回路の動作を制御するマイクロコンピュータ(６)が実装されており、該マイクロコンピュータ(６)に、ラジオ放送受信回路(５)を含む前記複数のＡＶ再生回路が接続されると共に、操作部(３)及び表示部(４)が接続されている。尚、図２においては、ラジオ放送受信回路(５)以外のＡＶ再生回路の図示を省略している。
【０００３】
ラジオ放送受信回路(５)は、基板上に、ＡＭ受信用アンテナ(51)に接続されたＡＭ用ＲＦ部(52)、ＦＭ受信用アンテナ(53)に接続されたＦＭ用フロントエンド部(54)、放送波に復調を施すＡＭ／ＦＭデコード部(55)、前記ＦＭ用フロントエンド部(54)のＰＬＬ回路(図示省略)の分周比を変更するＰＬＬ／拡張部(56)、及び付加信号に復調を施すＲＤＳデコードＩＣ(57)を実装して構成されている。
前記ＰＬＬ／拡張部(56)に設けられた３つの制御出力端子(560)(561)(562)と前記ＦＭ用フロントエンド部(54)に設けられた制御入力端子(540)及び前記ＡＭ／ＦＭデコード部(55)に設けられた２つの制御入力端子(551)(552)とがそれぞれ、制御信号線(580)(581)(582)によって互いに接続されている。
又、前記ＰＬＬ／拡張部(56)に設けられた制御入力端子(563)及び前記ＲＤＳデコードＩＣ(57)に設けられた２つの制御入力端子(571)(572)とマイクロコンピュータ(６)に設けられた３つの制御ポート(60)(61)(62)とがそれぞれ、ワイヤ(70)(71)(72)によって互いに接続されている。
【０００４】
前記ＡＭ／ＦＭデコード部(55)は、ＡＭ放送波に復調を施すＡＭデコード動作とＦＭ放送波に復調を施すＦＭデコード動作との間で動作を切り換えることが可能であって、ＰＬＬ／拡張部(56)から供給される動作切換え制御信号Ｓ３に応じて動作を切り換える。動作切換え制御信号Ｓ３は、例えば２値信号から構成され、“０”の値をとる場合にＡＭデコード動作に切り換えられる一方、“１”の値をとる場合にＦＭデコード動作に切り換えられる。
又、該ＡＭ／ＦＭデコード部(55)は、ＰＬＬ／拡張部(56)から供給されるミュート制御信号Ｓ４に応じて、出力音声を無音状態(ミュート状態)に設定し、或いは無音状態の設定を解除する。ミュート制御信号Ｓ４は、例えば２値信号から構成され、“０”の値をとる場合に出力音声が無音状態に設定され、“１”の値をとる場合に無音状態の設定が解除される。
【０００５】
前記ＲＤＳデコードＩＣ(57)は、付加信号に対する復調処理動作を実行する通常動作モードと該復調処理動作を停止する低消費電力モードとの間でモードの切換えが可能であって、マイクロコンピュータ(６)から供給されるモード切換え制御信号Ｓ５に応じてモードを切り換える。モード切換え制御信号Ｓ５は、例えば２値信号から構成され、“０”の値をとる場合に低消費電力モードに切り換えられる一方、“１”の値をとる場合に通常動作モードに切り換えられる。ＲＤＳデコードＩＣ(57)は、ＡＭ／ＦＭデコード部(55)から付加信号が得られないＡＭ放送の受信時、機器本体の電源オフ時、及びラジオ放送受信機能以外のＡＶ再生機能の選択時に低消費電力モードに設定される。
又、該ＲＤＳデコードＩＣ(57)は、マイクロコンピュータ(６)から供給されるリセット制御信号Ｓ６を受けて付加信号に対する復調処理を開始する。リセット制御信号Ｓ６は、例えば２値信号から構成され、“０”或いは“１”の何れかの値をとる。
【０００６】
上記ラジオ放送受信回路(５)においては、受信放送をＦＭ多重放送からＡＭ放送に切り換えるための操作が行なわれたとき、マイクロコンピュータ(６)はこれを検知して、ＰＬＬ／拡張部(56)に放送切換え制御信号を出力し、ＰＬＬ／拡張部(56)は、該制御信号を受けてミュート制御信号Ｓ４及び動作切換え制御信号Ｓ３をＡＭ／ＦＭデコード部(55)に供給した後、再びミュート制御信号Ｓ４をＡＭ／ＦＭデコード部(55)に供給する。この結果、ＡＭ／ＦＭデコード部(55)の出力音声が無音状態に設定された状態でＡＭ／ＦＭデコード部(55)の動作がＦＭデコード動作からＡＭデコード動作に切り替わり、その後、無音状態の設定が解除される。
又、マイクロコンピュータ(６)は、モード切換え制御信号Ｓ５をＲＤＳデコードＩＣ(57)に供給する。この結果、ＲＤＳデコードＩＣ(57)が通常動作モードから低消費電力モードに切り替わる。
ＡＭ受信用アンテナ(51)によって受信されたＡＭ放送波は、ＡＭ用ＲＦ部(52)を経てＡＭ／ＦＭデコード部(55)に供給されて復調が施され、これによって得られるＡＭ音声信号は後段の音声信号増幅部(図示省略)に供給される。
【０００７】
一方、受信放送をＡＭ放送からＦＭ多重放送に切り換えるための操作が行なわれたときには、マイクロコンピュータ(６)はこれを検知して、ＰＬＬ／拡張部(56)に放送切換え制御信号を出力し、ＰＬＬ／拡張部(56)は、該制御信号を受けて、ミュート制御信号Ｓ４及び動作切換え制御信号Ｓ３をＡＭ／ＦＭデコード部(55)に供給した後、再びミュート制御信号Ｓ４をＡＭ／ＦＭデコード部(55)に供給する。この結果、ＡＭ／ＦＭデコード部(55)の出力音声が無音状態に設定された状態でＡＭ／ＦＭデコード部(55)の動作がＡＭデコード動作からＦＭデコード動作に切り替わり、その後、無音状態の設定が解除される。
又、マイクロコンピュータ(６)は、モード切換え制御信号Ｓ５及びリセット制御信号Ｓ６をＲＤＳデコードＩＣ(57)に供給する。この結果、ＲＤＳデコードＩＣ(57)が動作停止モードから通常動作モードに切り替わって、ＡＭ／ＦＭデコード部(55)から得られる付加信号に対する復調処理が開始される。
ＦＭ受信用アンテナ(53)によって受信されたＦＭ多重放送波は、ＦＭ用フロントエンド部(54)に供給されて特定の周波数の放送波が選択され、該放送波はＡＭ／ＦＭデコード部(55)に供給されて復調が施される。これによって得られるＦＭ音声信号及び付加信号はそれぞれ、後段の音声信号増幅部及びＲＤＳデコードＩＣ(57)に供給される。ＲＤＳデコードＩＣ(57)では、付加信号に復調が施され、これによって得られる付加データは前記マイクロコンピュータ(６)に供給される。
【０００８】
その後、ＦＭ多重放送の受信周波数を変更するための操作が行なわれたときには、マイクロコンピュータ(６)はこれを検知して、ＰＬＬ／拡張部(56)に周波数制御信号を出力し、ＰＬＬ／拡張部(56)は、該制御信号を受けて、ミュート制御信号Ｓ４をＡＭ／ＦＭデコード部(55)に供給すると共にＦＭ用フロントエンド部(54)の分周比を変更した後、再びミュート制御信号Ｓ４をＡＭ／ＦＭデコード部(55)に供給する。この結果、ＡＭ／ＦＭデコード部(55)の出力音声が無音状態に設定された状態で受信周波数が変更され、その後、無音状態の設定が解除される。
又、マイクロコンピュータ(６)は、リセット制御信号Ｓ６をＲＤＳデコードＩＣ(57)に供給する。この結果、ＡＭ／ＦＭデコード部(15)から得られる付加信号に対する復調処理が開始される。
【０００９】
【特許文献１】特開平１０−１６３９０１号公報[H04L 1/00]
【発明の開示】
【発明が解決しようとする課題】
【００１０】
しかしながら、従来のＡＶ複合機器においては、図２に示す如く、マイクロコンピュータ(６)にＲＤＳデコードＩＣ(57)へモード切換え制御信号Ｓ５及びリセット制御信号Ｓ６を出力するための専用の制御ポート(61)(62)を設けなければならず、マイクロコンピュータ(６)の制御ポート数が増大する問題があった。又、マイクロコンピュータ(６)とＲＤＳデコードＩＣ(57)とを接続するためのワイヤ(71)(72)が必要となり、マイクロコンピュータ(６)からの制御ライン数が増大する問題があった。
本発明の目的は、マイクロコンピュータ等の制御回路の制御ポート数及び該制御回路からの制御ライン数を従来よりも減少させることが出来るラジオ放送受信回路を提供することである。
【課題を解決するための手段】
【００１１】
そこで、本発明者は、上記課題を解決すべく鋭意研究を行なった結果、ＲＤＳデコードＩＣ(57)のモードを切り換えるためのモード切換え制御信号として、同じタイミングでＰＬＬ／拡張部(56)からＡＭ／ＦＭデコード部(55)に供給される動作切換え制御信号Ｓ３を兼用することに想到し、本発明に係る第１のラジオ放送受信回路の完成に至った。
【００１２】
本発明に係る第１のラジオ放送受信回路は、ＡＭ放送と、音声信号に付加信号を多重してなるＦＭ多重信号が伝送されるＦＭ多重放送とを受信することが可能であって、
ＡＭ放送を受信するＡＭ放送受信回路と、
ＦＭ多重放送を受信するＦＭ多重放送受信回路と、
制御入力端子を具え、該制御入力端子から入力される制御信号に応じて、ＡＭ放送の受信信号に対し信号処理を施して音声信号を出力するＡＭ信号処理動作と、ＦＭ多重放送の受信信号に対し信号処理を施して音声信号及び付加信号を出力するＦＭ信号処理動作との間で動作を切り換えるＡＭ／ＦＭ信号処理回路と、
制御入力端子を具え、該制御入力端子から入力される制御信号に応じて、前記ＡＭ／ＦＭ信号処理回路から得られる付加信号に対する信号処理動作を実行する動作実行モードと該信号処理動作を停止する動作停止モードとの間でモードを切り換える付加信号処理回路と、
制御回路に接続され、該制御回路からの指令に応じて制御信号を出力する信号出力回路
とを具えている。ここで、該信号出力回路は、前記ＡＭ／ＦＭ信号処理回路及び前記付加信号処理回路へ制御信号を出力すべき制御出力端子を具え、該制御出力端子と前記ＡＭ／ＦＭ信号処理回路の制御入力端子とが制御信号線によって互いに接続されており、該制御信号線に、前記付加信号処理回路の制御入力端子が接続されている。
【００１３】
本発明に係る第１のラジオ放送受信回路においては、制御回路からの指令に応じて信号出力回路の制御出力端子から出力された制御信号は、ＡＭ／ＦＭ信号処理回路及び付加信号処理回路に入力され、ＡＭ／ＦＭ信号処理回路は、該制御信号に応じてＡＭ信号処理動作とＦＭ信号処理動作との間で動作を切り換える一方、付加信号処理回路は、該制御信号に応じて動作実行モードと動作停止モードとの間でモードを切り換える。
この様に、信号出力回路の制御出力端子から出力される制御信号をＡＭ／ＦＭ信号処理回路の動作を切り換えるための動作切換え制御信号と付加信号処理回路のモードを切り換えるためのモード切換え制御信号として兼用することによって、従来のマイクロコンピュータ(６)に設けられていたモード切換え制御信号を出力するための制御ポート(61)を省略することが出来る。又、該制御ポート(61)に接続されていたワイヤ(71)が不要となる。
【００１４】
又、本発明者は、ＲＤＳデコードＩＣ(57)に復調処理を開始させるためのリセット制御信号として、同じタイミングでＰＬＬ／拡張部(56)からＡＭ／ＦＭデコード部(55)に供給されるミュート制御信号Ｓ４を兼用することに想到し、本発明に係る第２のラジオ放送受信回路の完成に至った。
【００１５】
本発明に係る第２のラジオ放送受信回路は、ＡＭ放送と、音声信号に付加信号を多重してなるＦＭ多重信号が伝送されるＦＭ多重放送とを受信することが可能であって、
ＡＭ放送を受信するＡＭ放送受信回路と、
ＦＭ多重放送を受信するＦＭ多重放送受信回路と、
ＡＭ放送の受信信号に対し信号処理を施して音声信号を出力するＡＭ信号処理動作と、ＦＭ多重放送の受信信号に対し信号処理を施して音声信号及び付加信号を出力するＦＭ信号処理動作とを実行するものであって、制御入力端子を具え、該制御入力端子から入力される制御信号に応じて、出力音声を無音状態に設定し、或いは該設定を解除するＡＭ／ＦＭ信号処理回路と、
前記ＡＭ／ＦＭ信号処理回路から得られる付加信号に対し信号処理を施すものであって、制御入力端子を具え、該制御入力端子から入力される制御信号に応じて該信号処理を開始する付加信号処理回路と、
制御回路に接続され、該制御回路からの指令に応じて制御信号を出力する信号出力回路
とを具えている。ここで、該信号出力回路は、前記ＡＭ／ＦＭ信号処理回路及び前記付加信号処理回路へ制御信号を出力すべき制御出力端子を具え、該制御出力端子と前記ＡＭ／ＦＭ信号処理回路の制御入力端子とが制御信号線によって互いに接続されており、該制御信号線に、前記付加信号処理回路の制御入力端子が接続されている。
【００１６】
本発明に係る第２のラジオ放送受信回路においては、制御回路からの指令に応じて信号出力回路の制御出力端子から出力された制御信号は、ＡＭ／ＦＭ信号処理回路及び付加信号処理回路に入力され、ＡＭ／ＦＭ信号処理回路は、該制御信号に応じて出力音声の無音状態の設定／解除を行なう一方、付加信号処理回路は、該制御信号に応じて付加信号に対する信号処理を開始する。
この様に、信号出力回路の制御出力端子から出力される制御信号をＡＭ／ＦＭ信号処理回路の出力音声の無音状態を設定／解除するためのミュート制御信号と付加信号処理回路に信号処理を開始させるためのリセット制御信号として兼用することによって、従来のマイクロコンピュータ(６)に設けられていたリセット制御信号を出力するための制御ポート(62)を省略することが出来る。又、該制御ポート(62)に接続されていたワイヤ(72)が不要となる。
【発明の効果】
【００１７】
本発明に係る第１及び第２のラジオ放送受信回路によれば、マイクロコンピュータ等の制御回路の制御ポート数及び該制御回路からの制御ライン数を従来よりも減少させることが出来る。
【発明を実施するための最良の形態】
【００１８】
以下、本発明を、図１に示すＡＶ複合機器のラジオ放送受信回路(１)に実施した形態につき、図面に沿って具体的に説明する。
本発明に係るＡＶ複合機器においては、制御用ボードに、該機器を構成する複数のＡＶ再生回路の動作を制御するマイクロコンピュータ(２)が実装されており、該マイクロコンピュータ(２)に、ラジオ放送受信回路(１)を含む前記複数のＡＶ回路が接続されると共に、操作部(３)及び表示部(４)が接続されている。尚、図１においては、ラジオ放送受信回路(１)以外のＡＶ再生回路の図示を省略している。
ラジオ放送受信回路(１)は、図２に示す従来のラジオ放送受信回路(５)と同様に、基板上に、ＡＭ受信用アンテナ(11)に接続されたＡＭ用ＲＦ部(12)、ＦＭ受信用アンテナ(13)に接続されたＦＭ用フロントエンド部(14)、放送波に復調を施すＡＭ／ＦＭデコード部(15)、前記ＦＭ用フロントエンド部(14)のＰＬＬ回路(図示省略)の分周比を変更するＰＬＬ／拡張部(16)、及び付加信号に復調を施すＲＤＳデコードＩＣ(17)を実装して構成されている。
前記ＰＬＬ／拡張部(16)に設けられた第１の制御出力端子(160)と前記ＦＭ用フロントエンド部(14)に設けられた制御入力端子(140)とが、制御信号線(180)によって互いに接続されている。
又、前記ＰＬＬ／拡張部(16)に設けられた第２の制御出力端子(161)と前記ＡＭ／ＦＭデコード部(15)に設けられた第１の制御入力端子(151)とが制御信号線(181)によって互いに接続されており、該制御信号線(181)に、前記ＲＤＳデコードＩＣ(17)に設けられた第１の制御入力端子(171)が制御信号線(183)を介して接続されている。
又、前記ＰＬＬ／拡張部(16)に設けられた第３の制御出力端子(162)と前記ＡＭ／ＦＭデコード部(15)に設けられた第２の制御入力端子(152)とが制御信号線(182)によって互いに接続されており、該制御信号線(182)に、前記ＲＤＳデコードＩＣ(17)に設けられた第２の制御入力端子(172)が制御信号線(184)を介して接続されている。
更に、前記ＰＬＬ／拡張部(16)に設けられた制御入力端子(163)とマイクロコンピュータ(２)に設けられた制御ポート(20)とが、ワイヤ(70)によって互いに接続されている。
【００１９】
前記ＡＭ／ＦＭデコード部(15)は、ＡＭ放送波に復調を施すＡＭデコード動作とＦＭ放送波に復調を施すＦＭデコード動作との間で動作を切り換えることが可能であって、ＰＬＬ／拡張部(16)の第２制御出力端子(161)から制御信号線(181)及び第１制御入力端子(151)を経て入力される動作／モード切換え制御信号Ｓ１に応じて動作を切り換える。本実施例では、動作／モード切換え制御信号Ｓ１は２値信号から構成され、“０”の値をとる場合にＡＭデコード動作に切り換えられる一方、“１”の値をとる場合にＦＭデコード動作に切り換えられる。
又、該ＡＭ／ＦＭデコード部(15)は、ＰＬＬ／拡張部(16)の第３制御出力端子(162)から制御信号線(182)及び第２制御入力端子(152)を経て入力されるミュート／リセット制御信号Ｓ２に応じて、出力音声を無音状態に設定し、或いは無音状態の設定を解除する。本実施例では、ミュート／リセット制御信号Ｓ２は２値信号から構成され、“０”の値をとる場合に出力音声が無音状態に設定される一方、“１”の値をとる場合に無音状態の設定が解除される。
【００２０】
前記ＲＤＳデコードＩＣ(17)は、付加信号に対する復調処理動作を実行する通常動作モードと該復調処理動作を停止する低消費電力モードとの間でモードの切換えが可能であって、ＰＬＬ／拡張部(16)の第２制御出力端子(161)から制御信号線(181)(183)及び第１制御入力端子(171)を経て入力される前記動作／モード切換え制御信号Ｓ１に応じてモードを切り換える。本実施例では、動作／モード切換え制御信号Ｓ１が“０”の値をとる場合に低消費電力モードに切り換えられる一方、“１”の値をとる場合に通常動作モードに切り換えられる。該ＲＤＳデコードＩＣ(17)は、ＡＭ／ＦＭデコード部(55)から付加信号が得られないＡＭ放送の受信時、機器本体の電源オフ時、及びラジオ放送受信機能以外のＡＶ再生機能の選択時に低消費電力モードに設定される。
又、該ＲＤＳデコードＩＣ(17)は、ＰＬＬ／拡張部(16)の第３制御出力端子(162)から制御信号線(182)(184)及び第２制御入力端子(172)を経て入力される前記ミュート／リセット制御信号Ｓ２に応じて付加信号に対する復調処理を開始する。本実施例では、ミュート／リセット制御信号Ｓ２が“１”の値をとる場合に該復調処理が開始される。
【００２１】
下記表１は、動作／モード切換え制御信号Ｓ１の値と、上記のＡＭ／ＦＭデコード部(15)の動作及びＲＤＳデコードＩＣ(17)のモードとの関係を表わしている。
【表１】
2006246000.tif 000003
尚、“０”と“１”の値を入れ替えることも可能である。
【００２２】
又、下記表２は、ミュート／リセット制御信号Ｓ２の値と、上記のＡＭ／ＦＭデコード部(15)の無音状態の設定／解除及びＲＤＳデコードＩＣ(17)の復調処理の開始の有無との関係を表わしている。
【表２】
2006246000.tif 000004
尚、“０”と“１”の値を入れ替えることも可能である。
【００２３】
上記ラジオ放送受信回路(１)においては、受信放送をＦＭ多重放送からＡＭ放送に切り換えるための操作が行なわれたとき、マイクロコンピュータ(２)はこれを検知して、ＰＬＬ／拡張部(16)に放送切換え制御信号を出力し、ＰＬＬ／拡張部(16)は、該制御信号を受けて、“０”の値をとる動作／モード切換え制御信号Ｓ１及び“０”の値をとるミュート／リセット制御信号Ｓ２をそれぞれ、第２制御出力端子(161)及び第３制御出力端子(162)から出力する。この様にして出力された動作／モード切換え制御信号Ｓ１及びミュート／リセット制御信号Ｓ２はＡＭ／ＦＭデコード部(15)に入力され、この結果、ＡＭ／ＦＭデコード部(15)の出力音声が無音状態に設定された状態で、ＡＭ／ＦＭデコード部(15)の動作がＦＭデコード動作からＡＭデコード動作に切り替わる。
又、上述の如く出力された動作／モード切換え制御信号Ｓ１及びミュート／リセット制御信号Ｓ２はＲＤＳデコードＩＣ(17)に入力され、この結果、ＲＤＳデコードＩＣ(57)が通常動作モードから低消費電力モードに切り替わる。尚、ミュート／リセット制御信号Ｓ２は“０”の値をとるので、復調処理が開始されることはない。
【００２４】
その後、ＰＬＬ／拡張部(16)は、“１”の値をとるミュート／リセット制御信号Ｓ２を第３制御出力端子(162)から出力する。該ミュート／リセット制御信号Ｓ２はＡＭ／ＦＭデコード部(15)に入力され、この結果、出力音声の無音状態が解除される。尚、該ミュート／リセット制御信号Ｓ２はＲＤＳデコードＩＣ(17)にも入力されることになるが、該ＩＣ(17)は上述の如く低消費電力モードに設定されているので、復調処理が開始されることはない。
【００２５】
ＡＭ受信用アンテナ(11)によって受信されたＡＭ放送波は、ＡＭ用ＲＦ部(12)を経てＡＭ／ＦＭデコード部(15)に供給されて復調が施され、これによって得られるＡＭ音声信号は後段の音声信号増幅部(図示省略)に供給される。
【００２６】
一方、受信放送をＡＭ放送からＦＭ多重放送に切り換えるための操作が行なわれたときには、マイクロコンピュータ(２)はこれを検知して、ＰＬＬ／拡張部(16)に放送切換え制御信号を出力し、ＰＬＬ／拡張部(16)は、該制御信号を受けて、動作／モード切換え制御信号Ｓ１及びミュート／リセット制御信号Ｓ２をそれぞれ、第２制御出力端子(161)及び第３制御出力端子(162)から出力する。この様にして出力された動作／モード切換え制御信号Ｓ１及びミュート／リセット制御信号Ｓ２はＡＭ／ＦＭデコード部(15)に入力され、この結果、ＡＭ／ＦＭデコード部(15)の出力音声が無音状態に設定された状態で、ＡＭ／ＦＭデコード部(15)の動作がＡＭデコード動作からＦＭデコード動作に切り替わる。
又、上述の如く出力された動作／モード切換え制御信号Ｓ１及びミュート／リセット制御信号Ｓ２はＲＤＳデコードＩＣ(17)に入力され、この結果、ＲＤＳデコードＩＣ(57)が低消費電力モードから通常動作モードに切り替わる。尚、該ミュート／リセット制御信号Ｓ２は“０”の値をとるので、復調処理が開始されることはない。
その後、ＰＬＬ／拡張部(16)は、“１”の値をとるミュート／リセット制御信号Ｓ２を第２制御出力端子(162)から出力する。該ミュート／リセット制御信号Ｓ２はＡＭ／ＦＭデコード部(15)に入力され、この結果、出力音声の無音状態が解除される。又、該ミュート／リセット制御信号Ｓ２はＲＤＳデコードＩＣ(17)に入力され、この結果、ＡＭ／ＦＭデコード部(15)から得られる付加信号に対する復調処理が開始される。
【００２７】
ＦＭ受信用アンテナ(13)によって受信されたＦＭ多重放送波は、ＦＭ用フロントエンド部(14)に供給されて特定の周波数の放送波が選択され、該放送波はＡＭ／ＦＭデコード部(15)に供給されて復調が施される。これによって得られるＦＭ音声信号及び付加信号はそれぞれ、後段の音声信号増幅部及びＲＤＳデコードＩＣ(17)に供給される。ＲＤＳデコードＩＣ(17)では、付加信号に復調が施され、これによって得られる付加データは前記マイクロコンピュータ(２)に供給される。
【００２８】
その後、ＦＭ多重放送の受信周波数を変更するための操作が行なわれたときには、マイクロコンピュータ(２)はこれを検知して、ＰＬＬ／拡張部(16)に周波数制御信号を出力し、ＰＬＬ／拡張部(16)は、該制御信号を受けて、“０”の値をとるミュート／リセット制御信号Ｓ２を第３制御出力端子(162)から出力する。この様にして出力されたミュート／リセット制御信号Ｓ２は、ＡＭ／ＦＭデコード部(15)に入力され、この結果、ＡＭ／ＦＭデコード部(15)の出力音声が無音状態に設定される。尚、該ミュート／リセット制御信号Ｓ２はＲＤＳデコードＩＣ(17)にも入力されることになるが、“０”の値をとるので、復調処理が開始されることはない。
又、ＰＬＬ／拡張部(16)は、前記周波数制御信号に基づいてＦＭ用フロントエンド部(14)の分周比を変更する。この結果、受信周波数が変更される。
その後、ＰＬＬ／拡張部(16)は、“１”の値をとるミュート／リセット制御信号Ｓ２を第２制御出力端子(162)から出力する。該ミュート／リセット制御信号Ｓ２はＡＭ／ＦＭデコード部(15)に入力され、この結果、出力音声の無音状態が解除される。又、該ミュート／リセット制御信号Ｓ２はＲＤＳデコードＩＣ(17)に入力され、この結果、ＡＭ／ＦＭデコード部(15)から得られる付加信号に対する復調処理が開始される。
【００２９】
尚、機器本体の電源オフ時、及びラジオ放送受信機能以外のＡＶ再生機能の選択時には、ＰＬＬ／拡張部(16)からＡＭ／ＦＭデコード部(15)及びＲＤＳデコード部(17)に“０”の値をとる動作／モード切換え制御信号Ｓ１が供給されて、ＡＭ／ＦＭデコード部(15)の動作がＡＭデコード動作に切り替わると共に、ＲＤＳデコードＩＣ(17)が低消費電力モードに切り替わる。
【００３０】
上記ＡＶ複合機器においては、上述の如く、ＰＬＬ／拡張部(16)の第２制御出力端子(161)から出力される動作／モード切換え制御信号Ｓ１がＰＬＬ／拡張部(16)の動作を切り換えるための動作切換え制御信号とＲＤＳデコードＩＣ(17)のモードを切り換えるためのモード切換え制御信号として兼用されているので、図２に示す従来のマイクロコンピュータ(６)に設けられていたモード切換え制御信号Ｓ５を出力するための制御ポート(61)を省略することが出来る。又、ＰＬＬ／拡張部(16)の第３制御出力端子(162)から出力されるミュート／リセット制御信号Ｓ２がＰＬＬ／拡張部(16)の出力音声の無音状態を設定／解除するためのミュート制御信号とＲＤＳデコードＩＣ(17)に復調処理を開始させるためのリセット制御信号として兼用されているので、従来のマイクロコンピュータ(６)に設けられていたリセット制御信号Ｓ６を出力するための制御ポート(62)を省略することが出来る。これによって、マイクロコンピュータ(２)の制御ポート数を従来よりも減少させることが出来る。
更に、マイクロコンピュータ(２)とＲＤＳデコードＩＣ(17)とを接続するためのソケット、プラグ、ワイヤ等が不要となり、部品点数の削減及びコストダウンを図ることが出来る。
【００３１】
尚、本発明の各部構成は上記実施の形態に限らず、特許請求の範囲に記載の技術的範囲内で種々の変形が可能である。
例えば、ラジオ放送受信回路(１)を構成する基板にマイクロコンピュータ(２)を実装することも可能である。
【図面の簡単な説明】
【００３２】
【図１】本発明に係るラジオ放送受信回路を具えたＡＶ複合機器の構成を表わすブロック図である。
【図２】従来のＡＶ複合機器の構成を表わすブロック図である。
【符号の説明】
【００３３】
(１)  ラジオ放送受信回路
(11)  ＡＭ受信用アンテナ
(13)  ＦＭ受信用アンテナ
(15)  ＡＭ／ＦＭデコード部
(151)(152)  制御入力端子
(16)  ＰＬＬ／拡張部
(160)〜(162)  制御出力端子
(17)  ＲＤＳデコードＩＣ
(171)(172)  制御入力端子
(181)〜(184)  制御信号線
(２)  マイクロコンピュータ
(３)  操作部
(４)  表示部
【図１】
2006246000.tif 000005
【図２】
2006246000.tif 000006